(57)【要約】【課題】空調機に頼らずに、快適な住環境が得られる建物の遮熱断熱用構造及び工法を提供する。【解決手段】屋根構造用板材の上面に発泡樹脂製断熱材と、気泡緩衝材シートの両面にアルミシートが貼着された遮熱材と、表面に多数の凸部を有し、該遮熱材と略点接触する多数の凸部を有する通気用シートが順に積層され、該通気用シート上面に防水用シートを介して屋根材が取付けられ、該屋根材からの幅射熱を前記遮熱材によって遮断すると共に、前記通気用シートによって通気層が形成され、前記屋根構造用板材を介して屋内への幅射熱及び対流熱を防ぐ。【選択図】        図１
2010031631.tif 000002
【特許請求の範囲】
【請求項１】
建物の遮熱断熱用構造であって、屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートが順に積層され、該通気用シートの上面に防水用シートを介して屋根材が取付けられ、該屋根材からの幅射熱を前記遮熱材によって遮断すると共に、前記通気用シートによって前記遮熱材と屋根材間に通気層が形成され、前記屋根構造用板材を介して屋内への幅射熱及び対流熱を防ぐことを特徴とする遮熱断熱構造。
【請求項２】
前記屋根構造用板材に外気取り入れ用孔部が穿設され、該孔部と対向する発泡樹脂製断熱材及び遮熱材とを開口され、前記通気層と連通したことを特徴とする請求項１記載の遮熱断熱構造。
【請求項３】
屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートとを順に積層してそれぞれ取付用釘によって貼り付け、さらに該通気用シート上面に防水用シートを介して屋根材を取付けると共に、前記屋根構造体用板材の所定の箇所から前記発泡樹脂製断熱材及び遮熱材を貫通して外気取り入れ用孔部を穿設することを特徴とする建物の遮熱断熱工法。
【発明の詳細な説明】
【技術分野】
【０００１】
本発明は、建物の遮熱断熱構造及び工法であって、とくに戸建住宅及び畜舎、工場の屋根部に好適に使用できる遮熱断熱構造に関するものである。
【背景技術】
【０００２】
近年、戸建住宅の省エネルギー化が求められ、建物の室内と室外の間に、断熱材を設置して熱の流入や流出をなくす技術が提案されている。例えば、屋根断熱を行なう場合には、垂木間に断熱材を嵌め込む工法や、野地板上に断熱材を敷設する工法が採られており、小屋裏空間の熱篭り現象を抑制できるとされている。
【０００３】
また、断熱材として、その表面に幅射率の低いアルミニウム箔等からなる低幅射率部材を貼り付けて断熱効果を高める技術も提案され、実用化されている。
【０００４】
しかしながら、上記の断熱技術の場合、例えば垂木間に断熱材を嵌め込む作業においては、作業者が垂木から踏み外す危険性があった。また野地板上にアルミニウム薄等からなる低幅射率部材を貼り付けた断熱材を敷設するものは、断熱材の厚みを薄くして屋根デザインを向上させながら断熱効果が確保できるものであるが、小屋裏への熱篭りに関しては十分な効果が得られなかった。
【０００５】
そこで、外側屋根材と屋内側に設けた気密性アルミニウム被服断熱ボードとの間に外壁通気層の上端部と連通する屋根通気層を形成した高気密高断熱性家屋が提案されている（特許文献１参照。）。また、構造用合板等の片面又は両面にアルミホイル等幅射熱に対して高反射率の素材を取り付けた木質ボードを、外装下地材や構造材として建物躯体等の周囲に取り付け、これらアルミホイル等の素材に接する空間は胴縁等により静止空気層が形成されるように設けた遮熱断熱工法もある（特許文献２参照。）。
【先行技術文献】
【特許文献】
【０００６】
【特許文献１】実登第３００９５１２号公報
【特許文献１】特開２００７−２３１７１６号公報
【発明の概要】
【発明が解決しようとする課題】
【０００７】
しかしながら、上記特許文献１に提案されている家屋は、垂木の上に断熱ボードを貼り付ける工法であり、作業者の安全に問題が残るものであった。また、特許文献２の技術は屋根の下地材である木質合板等木質ボードの片面又は両面にアルミホイル等の幅射熱に対して高反射率の素材を貼り付け、さらにこのアルミホイル面と接する外装材は胴縁等による静止空気層が形成されており、アルミホイルによって幅射熱を遮断できるものの、静止空気層内の温度上昇に伴い、室内へ熱伝達が生じる虞れがあった。
【０００８】
上記の問題点に鑑み本発明者は、戸建住宅の屋根部の遮熱断熱構造において、戸外からの幅射熱を確実に遮断する遮熱材を配置すると共に、この遮熱材と屋根材との間に通気層を設けて効率よく熱を排気することができる遮熱断熱構造及び工法を提供するに至った。
【課題を解決するための手段】
【０００９】
このため本発明の遮熱断熱構造は、屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートが順に積層され、該通気用シート上面に防水用シートを介して屋根材が取付けられ、該屋根材からの幅射熱を前記遮熱材によって遮断すると共に、前記通気用シートによって前記遮熱材と屋根材間に通気層が形成され、前記屋根構造用板材を介して屋内への幅射熱及び対流熱を防ぐことを第一の特徴とする。
【００１０】
また、前記屋根構造用板材に、外気取り入れ用孔部が穿設され、前記通気用層と連通したことを第二の特徴とする。
【００１１】
そして、本発明の工法は屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートとを順に積層してそれぞれ取付用釘によって貼り付け、さらに該通気用シート上面に防水用シートを介して金属屋根材を取付けると共に、前記屋根構造体用板材の所定の箇所に外気取り入れ用孔部を穿設することを特徴とする。
【発明の効果】
【００１２】
本発明に係る遮熱断熱構造によれば、屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートが順に積層され、該通気用シート上面に防水用シートを介して屋根材が取付けられる構成であるため、屋根材側からの幅射熱は遮熱材によって遮断されるという優れた効果を有する。
【００１３】
また、前記屋根構造用板材に穿設された外気取り入れ用孔部と通気層とが連通しているため、遮熱材によって遮断された輻射熱は通気層を介して室外へ排出され、遮熱材が熱蓄積することがないという効果がある。
【００１４】
そして、本発明の工法は屋根構造用板材の上面に発泡樹脂製断熱材と、気泡緩衝材シートの少なくとも上面にアルミシートが貼着された遮熱材と、該遮熱材のアルミシート面と略点接触する多数の凸部を有する通気用シートとを順に積層してそれぞれ取付用釘によって貼り付けるため、施工を安全、且つ短時間で行なえるという優れた効果を有する。
【図面の簡単な説明】
【００１５】
【図１】本発明に係る遮熱断熱構造の一実施例を示す断面説明図である。
【図２】遮熱材を示す断面図である。
【図３】通気シートを示す断面説明図である。
【発明を実施するための形態】
【００１６】
以下、本発明を実施例を示す図面を参照しながら説明するが、本発明が本実施例に限定されないことは言うまでもない。図１は本発明の遮熱断熱構造の一実施例を示す断面説明図、図２は遮熱材を示す断面説明図、図３は通気シートを示す断面説明図である。
【実施例】
【００１７】
図１に示すように、本発明の遮熱断熱構造は、戸建住宅の屋根部材である母屋や桁材の上部に、所定の傾斜で取り付けられた垂木１に構造用合板である野地板２が敷設され、その上にポリスチレンフォーム等の各種の発泡体からなる断熱材３が釘（図示せず）によって固定され、さらにポリエチレン製の気泡緩衝材シートの両面にアルミシートが貼付された遮熱材４と、不織布シートに複数の立体網目形状の凸部を形成した通気シート５とが、この凸部とアルミシート面とが略点接触して積層され釘によって固定されて構成され、さらに野地板２の桁材側の所定位置に孔部６が穿設され、この孔部６に対向する断熱材３から遮熱材４へ貫通して貫通孔部７が穿設されている。そして、屋根下の防水材であるアスファルトルーフ材８が敷設されて、屋根材である金属屋根部材９が敷設されている。
【００１８】
上記の孔部６の下方には、軒天部材１０が敷設され、この軒天１０の所定位置には通気孔部１１が穿設、前記孔部６と通気可能とされている。
【００１９】
図２は遮熱材４の断面図を示しており、ポリエチレンフィルムからなる気泡緩衝シート１２の両面にアルミシート１３がそれぞれ貼着されており、厚み略４ｍｍに形成されている。このアルミシート１３によって幅射熱が効率良く反射され、且つ気泡緩衝シート１２によって断熱することができる。尚、アルミシート１３は気泡緩衝シート１２の片面のみ貼着されたものであってもかまわない。
【００２０】
図３は通気シート５の断面図を示しており、不織布からなる基材１４に耐候性樹脂からなる複数の立体網目形状の凸部１５が貼着されて形成されている。この通気シート５の凸部１５を上記遮熱材４のアルミシート１３表面に当接させて積層すると、凸部１５の高さ分の通気空間が形成され、上述した孔部６及び貫通孔部７からの通気によって通気層が形成される。尚、上記凸部１５は耐候性樹脂製の立体網目形状であり、垂直方向の圧縮強度に優れると共に、通気性に優れる。
【００２１】
上記の構成の、本発明の遮熱断熱構造によれば、屋根部材である野地板とアスファルトルーフ材の間に、遮熱材が積層され、且つ遮熱材の幅射熱反射方向に通気シートで形成された通気層が形成されるため、金属屋根部材からの幅射熱が効率よく反射され、また反射された幅射熱は通気層を介して戸外に排出される。このため、屋根裏に相当する小屋裏内への輻射熱が大幅に遮断され、小屋裏内の温度上昇は従来の屋根構造と比較して格段に抑えることが可能となる。しかも、野地板の上部には発泡体からなる断熱材が敷設されており、とくに冬季の小屋裏からの熱放出が抑制される。
【００２２】
（実験例１）
上記の構成の遮熱断熱構造を屋根に形成した戸建家屋において、夏季の温度を測定した。尚、測定を行なった家屋は日当たりのよい高台に建てられた２階建て家屋である。結果を表１に示す。
【００２３】
【表１】
2010031631.tif 000003
【００２４】
表１に示すように、屋内の最高温度は二階であっても屋外よりも低いことが判った。しかも通常は屋外より高温となる小屋裏であっても二階と同等の温度となり、しかも最低温度と最高温度との差が非常に少なく、快適な住環境が得られた。
【００２５】
（実験例２）
本発明の遮熱断熱構造と、一般屋根の構造を作成し、熱源として白熱灯を使用した実験装置を作成し、屋根材側から白熱灯によって加熱し、この屋根材上部と屋根材下部における温度変化を測定した。結果を表２に示す。尚、遮熱断熱構造と一般屋根構造の詳細は、下記の通りである。
（一般屋根）
板金
野地板                  ９ｍｍ
（遮熱断熱構造）
板金
通気シート            １０ｍｍ
アルミシート        ０．１ｍｍ
気泡緩衝シート          ４ｍｍ
アルミシート        ０．１ｍｍ
発泡スチロールシート  １２ｍｍ
野地板                  ９ｍｍ
【００２６】
【表２】
2010031631.tif 000004
【００２７】
表２示すように、本発明の遮熱断熱構造は、一般の屋根構造と比較して屋根上部と屋根下部との温度差が大きく、熱源からの幅射熱による温度上昇を効果的に防ぐことが判った。しかも、実験開始から３０分から６時間経過しても屋根下部の温度上昇は、一般屋根材と比較して少なく、快適な住環境が得られることが判った。
【００２８】
以上の構成からなる本発明の遮熱断熱構造は、戸建住宅の屋根部の遮熱断熱構造において、戸外からの幅射熱を確実に遮断する遮熱材を配置すると共に、この遮熱材と屋根材との間に通気層を設けて効率よく熱を排気することができる。
【符号の説明】
【００２９】
１              垂木
２              野地板
３              断熱材
４              遮熱材
５              通気シート
６              孔部
７              貫通孔部
８              アスファルトルーフ材
９              金属屋根部材
１０              軒天部材
１１              通気孔部
１２              気泡緩衝シート
１３              アルミシート
１４              基材
１５              凸部
【図１】
2010031631.tif 000005
【図２】
2010031631.tif 000006
【図３】
2010031631.tif 000007